(57)【特許請求の範囲】
【請求項１】
上部に開口を有する直方体状の容器本体を備え、
前記容器本体は、樹脂により形成されるとともに、
矩形状の底壁と、
前記底壁の４辺にそれぞれ接続される矩形状の第１側面、第２側面、第３側面、及び第４側面を有する側壁と、
を備え、
対向する前記第１側面及び前記第３側面それぞれには、
一方の側部において、
当該一方の側部の上端部から下方に向かって斜め方向に延びる第１上側ガイド線と、
当該一方の側部の下端部から上方に向かって斜め方向に延びるとともに、前記第１上側ガイド線の下端に接続または近接する第１下側ガイド線と、
を有する第１ガイド線が形成され、
他方の側部において、
当該他方の側部の上端部から下方に向かって斜め方向に延びる第２上側ガイド線と、
当該他方の側部の下端部から上方に向かって斜め方向に延びるとともに、前記第２上側ガイド線の下端に接続または近接する第２下側ガイド線と、
を有する第２ガイド線が形成されており、
前記側壁は、前記各ガイド線を介して、折り曲げ可能に構成されており、
対向する前記第１側面及び前記第３側面それぞれには、
前記一方の側部において、
前記第１上側ガイド線と第１下側ガイド線との間に形成される、第１上側補助ガイド線と第１下側補助ガイド線とをさらに備え、
前記第１上側補助ガイド線は、当該一方の側部の上端部から下方に向かって斜め方向に延び、
前記第１下側補助ガイド線は、当該一方の側部の下端部から上方に向かって斜め方向に延びるとともに、前記第１上側補助ガイド線の下端と接続または近接しており、
前記他方の側部において、
前記第２上側ガイド線と第２下側ガイド線との間に形成される、第２上側補助ガイド線と第２下側補助ガイド線とをさらに備え、
前記第２上側補助ガイド線は、当該他方の側部の上端部から下方に向かって斜め方向に延びるとともに、前記第１上側補助ガイド線の下端と接続または近接し、
前記第２下側補助ガイド線は、当該他方の側部の下端部から上方に向かって斜め方向に延びており、
前記側壁は、前記各補助ガイド線を介して、折り曲げ可能に構成されている、容器。
【請求項２】
前記底壁は、長方形状に形成され、
前記第１側面及び第３側面は、それぞれ、前記底壁の長辺に形成されている、請求項１に記載の容器。
【請求項３】
前記側壁の厚みは、前記底壁の厚みよりも小さい、請求項１または２に記載の容器。
【請求項４】
前記第１側面及び前記第３側面それぞれには、前記第１ガイド線と第２ガイド線との間に、水平方向に延びる複数の第３ガイド線が形成されており、
前記側壁は、前記第３ガイド線を介して、折り曲げ可能に構成されている、請求項１から３のいずれかに記載の容器。
【請求項５】
前記複数の第３ガイド線の１つは、
前記第１ガイド線における前記第１上側ガイド線と前記第１下側ガイド線との接続部または近接部と、
前記第２ガイド線における前記第２上側ガイド線と前記第２下側ガイド線との接続部または近接部と、
を結ぶように延びている、請求項４に記載の容器。
【請求項６】
対向する前記第２側面及び前記第４側面には、
使用者の指を当接すべき位置を示すマークが形成されている、請求項１から５のいずれかに記載の容器。
【請求項７】
前記第１から第４側面のいずれかに、剥離可能に取り付けられた固定シートをさらに備え、
当該固定シートは、前記容器本体が押し潰された状態を保持するために、当該押し潰された容器本体に巻き付けられるように貼り付け可能である、請求項１から６のいずれかに記載の容器。
【請求項８】
前記底壁及び側壁の少なくとも一方には、前記容器本体の内部空間側に凸の少なくとも１つのリブが形成されている、請求項１から７のいずれかに記載の容器。
【発明の詳細な説明】
【技術分野】
【０００１】
本発明は、容器に関する。
【背景技術】
【０００２】
従来より、芳香剤や消臭剤等の薬剤を収容した種々の容器が提案されている。これらの容器は、収容された薬剤が揮散してなくなったり、あるいは薬剤の効用が低下して、薬剤が収縮したときに、廃棄される。一般的には、容器を押し潰し、小型化した後に、廃棄される。その際、容器を押し潰しやすくするために、例えば、特許文献１のような容器が提案されている。この容器には、水平方向に延びる複数の薄肉の溝を形成しており、これらの溝により、側壁を折り曲げやすくしている。これにより、容器を押し潰しやすくしている。
【先行技術文献】
【特許文献】
【０００３】
【特許文献１】特開２０１３−２８３６５号公報
【発明の概要】
【発明が解決しようとする課題】
【０００４】
しかしながら、上記のような容器であっても、側壁の折曲げには十分ではなく、特に、力の弱い者であっても容易に側壁を折り曲げ、押し潰すことができる容器が要望されていた。本発明は、この問題を解決するためになされたものであり、小さい力であっても、側壁を容易に折り曲げることができ、簡単に押し潰して小型化することができる、容器を提供することを目的とする。
【課題を解決するための手段】
【０００５】
本発明に係る容器は、上部に開口を有する直方体状の容器本体を備え、前記容器本体は、樹脂により形成されるとともに、矩形状の底壁と、前記底壁の４辺にそれぞれ接続される矩形状の第１側面、第２側面、第３側面、及び第４側面を有する側壁と、を備え、対向する前記第１側面及び前記第３側面それぞれには、一方の側部において、当該一方の側部の上端部から下方に向かって斜め方向に延びる第１上側ガイド線と、当該一方の側部の下端部から上方に向かって斜め方向に延びるとともに、前記第１上側ガイド線の下端に接続または近接する第１下側ガイド線と、を有する第１ガイド線が形成され、他方の側部において、当該他方の側部の上端部から下方に向かって斜め方向に延びる第２上側ガイド線と、当該他方の側部の下端部から上方に向かって斜め方向に延びるとともに、前記第２上側ガイド線の下端に接続または近接する第２下側ガイド線と、を有する第２ガイド線が形成されており、前記側壁は、前記各ガイド線を介して、折り曲げ可能に構成されている。
【０００６】
この構成によれば、第１側面及び第３側面それぞれの側部に形成された第１ガイド線及び第２ガイド線により、次の効果を得ることができる。すなわち、第２側面及び第４側面を、容器本体の内部空間側に押圧しつつ、容器本体を開口側から底壁側に向かって押圧すると、第１側面及び第２側面が、第１ガイド線及び第２ガイド線に沿って折り曲げられ、各ガイド線の上側ガイド線と下側ガイド線との接続部同士または近接部（両ガイド線が近接する隙間部分）同士を結ぶ線が、外側に突出するように容易に折れ曲がる。その結果、容器本体は、上下方向の高さが小さくなるように押し潰され、廃棄に適するように小型化することができる。このように、本発明に係る容器は、第１側面及び第３側面の側部にそれぞれＶ字型のガイド線を有しているため、容器本体を小さい力で容易に押し潰すことができる。
【０００７】
上記容器において、前記底壁は、長方形状に形成することができ、前記第１側面及び第３側面を、それぞれ、前記底壁の長辺に形成することができる。
【０００８】
この構成によれば、押圧する第２側面及び第４側面が、第１側面及び第３側面よりも短いため、第２及び第４側面全体に力を作用させやすい。その結果、第１側面及び第３側面に、第２側面及び第４側面の力を伝達させやすくなり、第１側面及び第３側面を容易に折り曲げることができる。
【０００９】
上記各容器においては、前記側壁の厚みを、前記底壁の厚みよりも小さくすることができる。これにより、側壁をさらに折り曲げやすくすることができる。
【００１０】
上記各容器においては、前記第１側面及び前記第３側面それぞれに、前記第１ガイド線と第２ガイド線との間に、水平方向に延びる複数の第３ガイド線を形成することができ、前記側壁は、前記第３ガイド線を介して、折り曲げ可能に構成することができる。
【００１１】
このような第３ガイド線を設けることで、第１及び第２ガイド線が折れ曲がるときに、第１側面及び第３側面が外側に突出するのを助長することができる。その結果、第１側面及び第３側面をさらに容易に折り曲げることができる。
【００１２】
このとき、前記複数の第３ガイド線の１つを、前記第１ガイド線における前記第１上側ガイド線と前記第１下側ガイド線との接続部または近接部と、前記第２ガイド線における前記第２上側ガイド線と前記第２下側ガイド線との接続部または近接部と、を結ぶように形成することができる。これにより、第１側面及び第３側面をさらに容易に折り曲げることができる。
【００１３】
上記各容器においては、対向する前記第２側面及び前記第４側面に、使用者の指を当接すべき位置を示すマークを形成することができる。
【００１４】
この構成によれば、第２側面及び前記第４側面に形成されたマークが、それらの面を押圧する目印になり、ユーザが視認しやすくなる。そのため、容器本体の押し潰しのための操作を容易に行うことができる。
【００１５】
上記各容器において、対向する前記第１側面及び前記第３側面それぞれには、前記一方の側部において、前記第１上側ガイド線と第１下側ガイド線との間に形成される、第１上側補助ガイド線と第１下側補助ガイド線とをさらに備え、前記第１上側補助ガイド線は、当該一方の側部の上端部から下方に向かって斜め方向に延び、前記第１下側補助ガイド線は、当該一方の側部の下端部から上方に向かって斜め方向に延びるとともに、前記第１上側補助ガイド線の下端と接続または近接しており、前記他方の側部において、前記第２上側ガイド線と第２下側ガイド線との間に形成される、第２上側補助ガイド線と第２下側補助ガイド線とをさらに備え、前記第２上側補助ガイド線は、当該他方の側部の上端部から下方に向かって斜め方向に延び、前記第２下側補助ガイド線は、当該他方の側部の下端部から上方に向かって斜め方向に延びるとともに、前記第２上側補助ガイド線の下端と接続または近接しており、前記側壁は、前記各補助ガイド線を介して、折り曲げ可能に構成されているものとすることができる。
【００１６】
この構成によれば、第１側面及び第３側面に、補助ガイド線がそれぞれ形成されているため、各側面の折曲げをさらに助長することができる。
【００１７】
上記各容器においては、前記第１から第４側面のいずれかに、剥離可能に取り付けられた固定シートをさらに備えることができ、当該固定シートを、前記容器本体が押し潰された状態を保持するために、当該押し潰された容器本体に巻き付けられるように貼り付け可能とすることができる。
【００１８】
この構成により、容器本体を押し潰された状態に保持することができ、廃棄をさらに容易にすることができる。
【００１９】
上記各容器において、前記底壁及び側壁の少なくとも一方には、前記容器本体の内部空間側に凸の少なくとも１つのリブを形成することができる。
【００２０】
この構成によれば、複数の容器本体を積み重ねたとき、上側の容器本体の底壁の外面と、下側の容器本体の底壁の内面とがリブによって接触しないようにすることができる。これに対して、例えば、上側の容器本体の底壁の外面と、下側の容器本体の底壁の内面とが接触していると、積み重ねた容器本体を分離し難いが、上記のように、底壁同士が接触していないと、上側の容器本体が下側の容器本体から上方に突出し、両者の上端の間に隙間が形成されるため、例えば、この隙間に指を挟んで、両者を容易に分離することができる。
【発明の効果】
【００２１】
本発明によれば、小さい力であっても、側壁を容易に折り曲げることができ、簡単に押し潰して小型化することができる。
【図面の簡単な説明】
【００２２】
【図１】本発明に係る薬剤収容器の一実施形態を示す斜視図である。
【図２】図１の平面図である。
【図３】図２の断面図である。
【図４】容器本体の第１側面の正面図である。
【図５】容器本体の第３側面の正面図である。
【図６】容器本体の第２側面の正面図である。
【図７】容器本体の第４側面の正面図である。
【図８】図４の平面図である。
【図９】図４の容器本体の一部断面図である。
【図１０】図４の容器本体を成形するための成形型を示す断面図である。
【図１１】薬剤収容器の使用方法を説明する図である。
【図１２】容器本体の廃棄方法を説明する正面図である。
【図１３】容器本体の廃棄方法を説明する側面図である。
【図１４】容器本体の廃棄方法を説明する正面図である。
【図１５】複数の容器本体を積み重ねた状態を示す断面図である。
【図１６】他の容器本体の第１側面の正面図である。
【発明を実施するための形態】
【００２３】
以下、本発明に係る容器を薬剤収容器に適用した場合の一実施形態について図面を参照しつつ説明する。図１はこの薬剤収容器の斜視図、図２は図１の平面図、図３は図２の断面図である。
【００２４】
図１〜図３に示すように、この容器は、上部に開口を有し、薬剤２（ゲル状成形体）が収容される容器本体１を備えており、この容器本体１の上部開口を塞ぐように、カバーシート３が取り付けられ、さらに、このカバーシート３を覆うようにガス不透過性の遮水シート４が取り付けられている。また、容器本体１の側壁１２の外面には、商品の説明が記載された矩形状の商品説明シール材１８が貼り付けられている。この商品説明シール材１８は、粘着剤により、取り外し可能に、容器本体１に貼り付けられている。以下、各部材について説明する。
【００２５】
＜１．容器本体＞
容器本体１について、図４〜図６を参照しつつ説明する。図４は容器本体の第１側面の正面図、図５は容器本体の第３側面の正面図、図６は容器本体の第２側面の正面図、図７は容器本体の第４側面の正面図、図８は図４の平面図である。図４〜図８に示すように、第１側面の容器本体１は、上部に矩形状の開口１１０を有する直方体状に形成されており、長方形状の底壁１１と、この底壁１１の周縁から、上方に延びる角筒状の側壁１２と、この側壁１２の上端から外方に延びるフランジ部１３と、を備えている。側壁１２は、底壁１１の各辺から上方に延びる４つの側面、つまり第１，第２，第３及び第４側面１２１〜１２４により形成されている。そして、第１側面１２１と第３側面１２３は、底壁１１の長辺に接続されて対向し、第２側面１２２と第４側面１２４は、底壁１１の短辺に接続されて対向している。
【００２６】
次に、側壁１２について説明する。まず、第１側面１２１及び第３側面１２３について説明するが、これらの側面は同一構成であるため、以下では第１側面１２１について説明する。図４に示すように、第１側面１２１には、左右の側部にそれぞれＶ字状のガイド線５，６が形成されている。ここでは、図４の左側のガイド線を第１ガイド線５、右側のガイド線を第２ガイド線６と称することとする。第１ガイド線５は、第１側面１２１の上端部から下方に向かって斜めに延びる第１上側ガイド線５１と、第１側面１２１の下端部から上方に向かって斜めに延びる第１下側ガイド線５２とを備えており、第１上側ガイド線５１の下端と、第１下側ガイド線５２の上端が鋭角をなすように接続されている。そして、この接続部を、第１接続部５３と称することとする。
【００２７】
また、図７に示すように、第１上側ガイド線５１の上端には、これを延長するように、第４側面１２４の側部まで延びる第１上側延長線５４が接続されている。同様に、第１下側ガイド線５２の下端には、これを延長するように、第４側面１２４の側部まで延びる第１下側延長線５５が形成されている。
【００２８】
第２ガイド線６も第１ガイド線５と同様に構成されており、第２上側ガイド線６１と第２下側ガイド線６２とがＶ字状に連結されることで形成されている。そして、第２上側ガイド線６１と第２下側ガイド線６２とのの接続部を、第２接続部６３と称することとする。また、図６に示すように、第２上側ガイド線６１の上端には、第２側面１２２の側部まで延びる第２上側延長線６４が接続され、第２下側ガイド線６２の下端には、これを延長するように、第２側面１２２の側部まで延びる第２下側延長線６５が形成されている。
【００２９】
また、図４に示すように、第１ガイド線５よりも側方には（第４側面１２４側）、第１ガイド線５から隙間をあけて、Ｖ字状の第１補助ガイド線７が形成されている。この第１補助ガイド線７は、第１ガイド線５と同様に、第１側面１２１の上端部から下方に向かって斜めに延びる第１上側補助ガイド線７１と、第１側面１２１の下端部から上方に向かって斜めに延びる第１下側補助ガイド線７２とを備えており、第１上側補助ガイド線７１の下端と、第１下側補助ガイド線７２の上端が鋭角をなすように接続されている。そして、第１上側補助ガイド線７１と第１下側補助ガイド線７２との接続部を、第１補助接続部７３と称することとする。また、図７に示すように、第１上側補助ガイド線７１の上端には、第４側面１２４の側部まで延びる第１上側補助延長線７４が接続されて、第１上側補助ガイド線７２の下端には、これを延長するように、第４側面１２４の側部まで延びる第１下側補助延長線７５が形成されている。
【００３０】
同様に、第１側面１２１の右側部には、第１補助ガイド線７と同様の構成のＶ字状の第２補助ガイド線８が形成されている。すなわち、第２ガイド線６よりも側方（第２側面１２２側）には、第１側面１２１の上端部から下方に向かって斜めに延びる第２上側補助ガイド線８１と、第１側面１２１の下端部から上方に向かって斜めに延びる第２下側補助ガイド線８２とを備えており、第２上側補助ガイド線８１の下端と、第２下側補助ガイド線８２の上端が鋭角をなすように接続されている。そして、第２上側補助ガイド線８１と第２下側補助ガイド線８２との接続部を、第２補助接続部８３と称することとする。また、図６に示すように、第２上側補助ガイド線８１の上端には、第２側面１２２の側部まで延びる第２上側補助延長線８４が接続され、第２下側補助ガイド線８２の下端には、これを延長するように、第２側面１２２の側部まで延びる第２下側補助延長線８５が形成されている。
【００３１】
なお、図４及び図５に示すように、第１側面１２１と第３側面１２３とは同一構成であるが、第１側面１２１の第１ガイド線５と対向する第３側面１２３のガイド線を第１ガイド線と称し、第１側面１２１の第２ガイド線６と対向する第３側面１２３のガイド線を第２ガイド線と称することとする。この点は、補助線についても同様である。
【００３２】
また、図４に示すように、第１接続部５３、第２接続部６３、第１補助接続部７３、及び第２補助接続部８３は、上下方向において、ほぼ同じ高さに位置するように形成されている。
【００３３】
さらに、第１側面１２１において、第１ガイド線５と第２ガイド線６との間には、３本の第３ガイド線９、つまり第３上側ガイド線９１、第３中間ガイド線９２、及び第３下側ガイド線９３が形成されている。このうち、第３中間ガイド線９２は、第１ガイド線５の第１接続部５３と第２ガイド線６の第２接続部６３とを結ぶように、水平に延びている。そして、第３上側ガイド線９１は、第３中間ガイド線９２よりも上方で、第１上側ガイド線５１の中間部付近と第２上側ガイド線６１の中間部付近とを接続するように、延びている。また、第３下側ガイド線９３は、第３中間ガイド線９２よりも下方で、第１下側ガイド線５２の中間部付近と第２下側ガイド線６２の中間部付近とを接続するように、延びている。
【００３４】
上記のように形成された各ガイド線は、図９に示すように、側壁１２の外面から外部に凸となるように形成され、これと対応するように側壁１２の内面においては、凹となるように形成されている。
【００３５】
次に、第２側面１２２及び第４側面１２４について説明する。但し、図６及び図７に示すように、これらは同様の構成であるため、以下では第２側面１２２について説明する。図６に示すように、第２側面１２２における上下方向の中間には、４つの円形の凸部５８１が水平方向に接続された押圧用マーク５８が形成されている。この押圧用マーク５８は、第２側面１２２から膨出するように形成されており、４つの凸部５８１に使用者の４つの指を当接する際のマークとして用いられる。また、押圧用マーク５８の両側には、水平方向に延びる第１及び第２水平線６８１，６８２がそれぞれ形成されている。第１水平線６８１は、第１側面１２１側に延び、第２補助接続部８３に接続されている。一方、第２水平線６８２は、第３側面１２３側に延び、第２補助接続部に接続されている。なお、これら第１及び第２水平線６８１，６８２も、上記各ガイド線５〜８と同様に、側壁１２の外面から外部に凸となるように形成され、これと対応するように側壁１２の内面においては、凹となるように形成されている。
【００３６】
次に、その容器本体１の底壁１１付近の構成について説明する。図４、図５及び図８に示すように、底壁の周縁の４箇所には、側壁１２に沿って上方に延びるリブ１５が形成されている。各リブ１５は、底壁１１における各長辺の両端部にそれぞれ１個ずつ形成されており、容器本体１の内部空間に突出するように、直方体状に形成されている。各リブ１５の高さは、特には限定されないが、例えば、５〜２０ｍｍとすることができる。
【００３７】
この容器本体１を構成する材料は特には限定されないが、種々の樹脂材料で形成することができる。例えば，ポリエチレンテレフタレート、ポリエチレン、ポリプロピレンなどによって形成することができる。また、この容器本体１の側壁１２は、底壁１１よりも薄く形成されており、例えば、側壁１２の厚みは０．１〜１．０ｍｍとすることができ、底壁１１の厚みを０．２〜２．０ｍｍとすることができる。そして、側壁１２の厚みは、底壁１１の厚みの、例えば、１０〜５０％とすることができる。
【００３８】
＜２．容器本体の成形方法＞
容器本体１は、種々の方法で成形することができるが、例えば、次のように成形することができる。まず、図１０に示すような成形型１０を準備する。この成形型１０は、上型１０１と下型１０２により構成されている。上型１０１は、容器本体１の底壁１１及び側壁１２の内壁面と、フランジ部１３の上面とを形成するように、凸部１０１１を有している。一方、下型１０２は、容器本体１の底壁１１及び側壁１２の外壁面と、フランジ部１３の下面とを形成するように、凹部１０２１を有している。また、下型１０２の凹部１０２１の底壁には、吸引口１０２２が形成されている。
【００３９】
このような成形型１０の上型１０１と下型１０２との間に、上述した材料で形成されたフィルム材１００を配置する。このフィルム材１００の厚みは、例えば、０．５〜２．０ｍｍとすることができる。そして、上型１０１及び下型１０２を加熱し、これらの間のフィルム材１００を上下から挟んで成形を行う。このとき、下型１０２の吸引口１０２２から吸引を行う。こうして、容器本体１の成形が完了する。このように上型１０１に凸部１０１１を形成することで、フィルム材１００において容器本体１の側壁１２に対応する部分が、より延伸されるため、容器本体１の側壁１２を、底壁１１よりも薄肉化することができる。
【００４０】
＜３．カバーシート＞
次に、カバーシート３について説明する。カバーシートは、通気性を有していればよく、例えば、樹脂材料で構成する場合には、複数の貫通孔を形成すればよい。樹脂としては、例えば、ポリエチレン、ポリエステル、ポリビニルアルコール、ポリプロピレン、ナイロン、セロファン、ビニロン、塩化ビニルなどを用いることもできる。また、複数の層で形成することできる。また、通気性を有する材料として不織布を用いることもできる。不織布としては、例えば、シルク、麻、羊毛、コットン、パルプ、ポリエチレン、ポリエチレンテレフタレート、アセテート、ナイロン、アクリル、ビニロン、キュプラ、エチレン酢酸ビニル、レーヨン、ポリエステル、ポリプロピレン、ポリウレタン、ポリ塩化ビニルなどからなる繊維、又はこれらを組み合わせた複合繊維により形成することができる。
【００４１】
＜４．遮水シート＞
遮水シート４は、上述したカバーシート３を覆うものであり、液不透過性であれば特には限定されない。例えば、上記カバーシートと同様の材料で形成することができる。また、複数の層で形成することでき、後述するように、カバーシート３への取付を考慮すると、カバーシート３と同種の材料を含む複数の層で形成することができる。
【００４２】
＜５．薬剤＞
薬剤２は、保持材と、この保持材に保持される水と、水に溶解される機能性成分と、を備え、保持材から前記水が蒸発可能に構成されたゲル状成形体により形成されている。以下、このゲル状成形体について説明する。
【００４３】
本実施形態においては、次に説明する(i)のゲル状成形体、(ii)のゲル状成形体、またはこれらの混合体を複数含むゲル状成形体集合物を薬剤として用いる。(i)のゲル状成形体は、アクリルアミド−アクリル酸塩共重合体を吸水性樹脂として用いて調製されたゲル状成形体である。このアクリルアミド−アクリル酸塩共重合体は、ブロック共重合体であっても、ランダム共重合体であってもよい。
【００４４】
また、(ii)のゲル状成形体は、ノニオン型ポリアルキレンオキサイド系吸水性樹脂、アルケン−無水マレイン酸共重合体、及びポリアクリル酸塩架橋物の中の１種又は２種以上の吸水性樹脂を用いて調製したゲル状成形体である。
【００４５】
(i)及び(ii)のゲル状成形体は、保持材として、所定の形状を有する各成分の吸水性樹脂が、水及び必要に応じて他の成分を吸収し膨潤することにより形成される含水ゲルである。従って、(i)及び(ii)のゲル状成形体の形成に使用される各吸水性樹脂は、(i)及び(ii)のゲル状成形体の形状、大きさ及び吸水量等に応じて、その形状やその他の特性を適宜設定すればよい。なお、このような吸水性樹脂の製造方法は公知であり、前述する各成分を用いて公知の方法に従って調製された吸水性樹脂を使用できる。  
【００４６】
また、吸水性樹脂を使わない場合は、保持材として、ゲル化剤又は増粘剤を用いることができる。ゲル化剤又は増粘剤としては、例えば、以下の群からなる１又は２以上のものを用いることができる。動物性物質：ゼラチン、植物性物質：デンプン、コンニャクマンナン、タマリンドシードガム、ローカストビンガム、アルギン酸ナトリウム、グアガム、寒天、カラギーナン、ペクチン、微生物系物質：キサンタンガム、ジェランガム、カードラン、アクリル系合成物：ポリアクリル酸塩、ビニール系合成物： ＰＶＡ、ポリビニルピロリドン、カルボキシビニルポリマー、その他の合成物：ＣＭＣ−Ｎａ、ポリエチレンオキサイド。
【００４７】
ゲル状成形体集合物には、(i)及び(ii)のゲル状成形体を形成するために、水を含有する。ゲル状成形体集合物における水の配合割合は、(i)及び(ii)のゲル状成形体に使用される吸水性樹脂の種類等によって異なるが、一例として、該集合物の総量に対して、水が５０〜９９重量％、好ましくは６０〜９９重量％、更に好ましくは８０〜９９重量％となる割合が挙げられる。なお、ここで示す割合は、ゲル状成形体集合物全体に対して、(i)及び(ii)のゲル状成形体に含まれる水の総量が占める割合であり、ゲル状成形体集合物において、(i)のゲル状成形体の水の含有割合と、(ii)のゲル状成形体の水の含有割合とは、必ずしも一致する必要はない。
【００４８】
ゲル状成形体集合物は、機能性成分に基づく作用効果を発現させるために使用されるものであり、機能性成分を含有する。ここで機能性成分とは、ゲル状成形体集合物が使用される環境で所望の機能を発現可能である成分である。本実施形態では、機能性成分として、消臭成分を用いる。具体的には、イネ、松、ヒノキ、笹等の植物の抽出物；脱塩型ベタイン化合物；変性有機酸化合物；トリエタノールアミン；安定化二酸化塩素；アルデヒド化合物等を挙げることができる。
【００４９】
これらの機能性成分は、(i)及び(ii)のゲル状成形体のいずれか一方又は双方に含まれていればよいが、(i)及び(ii)のゲル状成形体の双方又は(i)のゲル状成形体に含まれていることが望ましい。なお、本発明において、機能性成分は、ゲル状成形体の内部に浸透した状態で含まれていてもよいが、ゲル状成形体の表面に付着した状態で含まれていてもよい。
【００５０】
＜６．薬剤の準備＞
薬剤２は、種々の方法で準備できるが、例えば、所定の成分を含有する(i)のゲル状成形体と、所定の成分を含有する(ii)のゲル状成形体とをそれぞれ単独で調製し、得られた(i)及び(ii)のゲル状成形体を所定の割合で混合することによって製造してもよいが、以下例示する製造方法が簡便で好適である。即ち、(i)のゲル状成形体の吸水性樹脂、(ii)のゲル状成形体の吸水性樹脂、水、機能性成分、及び必要に応じてその他の成分の所定量を容器に入れて混合し、後述するように、容器本体１をカバーシート３及び遮水シート４により密閉し、室温で１２〜２４時間程度静置して、吸水性樹脂に添加成分を吸収させる。この間、必要に応じて、容器本体１を振動させる等の手段により撹拌処理を施してもよい。
【００５１】
＜７．カバーシート、遮水シートの容器本体への取付＞
上記のように、容器本体１に薬剤２を収容した後、カバーシート３及び遮水シート４を容器本体１に取り付ける。以下、この手順について説明する。まず、カバーシート３は、容器本体１のフランジ部１３に取り付けられる。このときの取付方法は、特には限定されないが、例えば、ヒートシールにより取り付けることができる。
【００５２】
続いて、遮水シート４をカバーシート３上に配置し、ヒートシールにより、遮水シート４をカバーシート３に固定する。こうして、フランジ部１３には、カバーシート３、及び遮水シート４がこの順で積層され、固定される。
【００５３】
＜８．薬剤収容器の使用方法＞
続いて、上記のように構成された薬剤収容器の使用方法について説明する。まず、図１１に示すように、遮水シート４をカバーシート３から取り外す。これにより、カバーシート３が外部に露出する。カバーシート３は、通気性を有するため、外部からカバーシート３を介して、容器本体１内に空気が流入可能となる。そして、流入した空気に含まれる臭気は、ゲル状成形体に含まれる消臭成分と反応することにより浄化され、カバーシート３から外部へ排出される。このような空気の流入、浄化、及び排出を繰り返すことで、薬剤収容器が配置された周囲の空気が浄化されていく。
【００５４】
＜９．容器本体の廃棄方法＞
薬剤の添加成分が揮散すると、ゲル状成形体は縮小し、効用を終える。その後、容器本体１から商品説明シール材１８が取り外し、廃棄せずに保管しておく。そして、容器本体１は、次のように廃棄される。まず、使用者は、第２側面１２２及び第４側面１２４の押圧用マーク５８に指を当接し、容器本体１の内部空間側に押圧する。これと同時に、使用者の手のひらでフランジ部１３を下方に向かって押圧すると、図１２及び図１３に示すように、第１側面１２１及び第３側面１２３が、第１ガイド線５及び第２ガイド線６に沿って折り曲げられる。より詳細に説明すると、容器本体１への押圧により、第１側面と第３側面が、各ガイド線５，６に沿って外側に折れ曲がる。このとき、各補助ガイド線７，８によっても各側面１２１，１２３が折れ曲がり、ガイド線５，６による折れ曲りを助長する。これにより、各ガイド線５，６の上側ガイド線５１，６１と下側ガイド線５２，６２との接続部５３，６３同士を結ぶ線が、外側に突出するように容易に折れ曲がる。すなわち、第３中間ガイド線９２に沿って、第１側面１２１及び第３側面１２３が外側に折れ曲がる。そして、容器本体１への押圧をさらに強めると、容器本体１は、上下方向の高さが小さくなるように押し潰され、廃棄に適するように小型化される。
【００５５】
最後に、取り外された商品説明シール材１８を、押し潰された容器本体１に巻き付けるように貼り付ける。このとき、図１４に示すように、シール材１８の一端を底壁１１の下面に貼り付け、フランジ部１３をまたぐようにして、シール材１８の他端をカバーシート３の上面に貼り付ける。これにより、容器本体１は、押し潰された状態が保持され、元の形状に復帰するのが防止され、廃棄しやすくなる。
＜１０．特徴＞
以上のように、本実施形態によれば、次の特徴を有している。
【００５６】
＜１０−１＞
本実施形態に係る容器は、第１側面１２１及び第３側面１２３の側部にそれぞれＶ字型のガイド線５，６を有しているため、上記のように、側壁１２を小さい力であっても容易に折り曲げることができ、容器本体１を簡単に押し潰すことができる。
【００５７】
＜１０−２＞
第１側面１２１及び第３側面１２３に、水平方向に延びる複数の第３ガイド線９が形成されているため、第１及び第２ガイド線５，６により、第１側面１２１及び第３側面１２３が折り曲げられたときに、各側面１２１，１２３が外側に突出するのを助長することができる。すなわち、各ガイド線５，６の上側ガイド線５１，６１と下側ガイド線５２，６２との接続部５３，６３同士を結ぶ線をはじめとして、第１側面１２１及び第３側面１２３が水平方向に延びる線に沿って折り曲げられるのを助長することができ、側壁１２をさらに小さい力で容易に折り曲げることができる。
【００５８】
＜１０−３＞
また、第１側面１２１及び第３側面１２３に、補助ガイド線７，８が設けられているため、各ガイド線５，６による側壁の折曲げをさらに助長することができる。
【００５９】
＜１０−４＞
側壁１２の厚みが小さいため、側壁１２をより小さい力で折り曲げることができる。
【００６０】
＜１０−５＞
各ガイド線５、６，９、及び補助ガイド線７，８は、側壁１２の外面において凸に形成され、これと対応するように側壁１２の内面において凹となるように形成されているため、側壁１２を外側に向けて突出するように折り曲げやすくすることができる。
【００６１】
＜１０−６＞
容器本体１の内部にリブ１５が形成されているため、次の効果を得ることができる。すなわち、リブ１５によって、組立前の複数の容器本体１を積み重ねたとき、例えば、図１５に示すように、上側の容器本体１Ａの底壁１１Ａの外面と、下側の容器本体１Ｂの底壁１１Ｂの内面とが、下側の容器本体１のリブ１５によって接触しないようにすることができる。これにより、上側の容器本体１Ａが下側の容器本体１Ｂから上方に突出し、両者のフランジ部１３Ａ，１３Ｂの間に隙間を形成することができる。そのため、例えば、この隙間に指を挟んで引っ張ることで、両者を容易に分離することができる。
【００６２】
＜１１．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００６３】
＜１１−１＞
上記実施形態では、複数のガイド線５，６，９及び補助ガイド線７，８を設けて、側壁１２が折り曲げやすいように構成しているが、少なくとも、第１及び第２ガイド線５，６が設けられていれば、本発明の効果を得ることができる。また、このようなガイド線は、必ずしも連続していなくてもよく、一部が途切れた破線状であってもよい。
【００６４】
＜１１−２＞
各ガイド線及び補助線は、側壁１２の外面において凸に形成され、これと対応するように側壁１２の内面において凹となるように形成されているが、これに限定されず、これと反対の構成、つまり側壁１２の外面において凹に形成され、これと対応するように側壁１２の内面において凸となるよう形成することもできる。あるいは、側壁１２の外面及び内面の両側で凹となるように形成することもできる。
【００６５】
＜１１−３＞
第１及び第２ガイド線５，６、及び第１及び第２補助ガイド線７，８の線の各接続部５３，６３，７３，８３は、必ずしも鋭利な鋭角をなすように形成されていなくてもよく、多少であれば、湾曲するように形成されていてもよい。また、上記実施形態では、第１ガイド線５は、上側ガイド線５１と下側ガイド線５２とが接続されているが、必ずしも接続していなくてもよく、例えば、図１６に示すように、やや隙間を空けて近接していてもよい。この場合、第３中間ガイド線９２は、上側ガイド線５１と下側ガイド線５２とが近接する隙間の近傍から延びるようにすればよい。このように上側のガイド線と下側のガイド線とを接続しない態様は、他のガイド線についても同様である。
【００６６】
＜１１−４＞
第２側面１２２及び第４側面１２４の押圧用マーク５８の構成は、特には限定されず、上記のような円形を連ねた形状以外の種々の形状とすることができる。
【００６７】
＜１１−５＞
上記実施形態では、第１及び第３側面１２１，１２３にガイド線５〜９を設けているが、第２及び第４側面１２２，１２４にガイド溝を設けてもよい。但し、長さの短い第２及び第４側面１２２，１２４を押圧するようにした方が、小さい力で、第２及び第４側面１２２，１２４全体に力を作用させやすいため、これによって、第１及び第３側面１２１，１２３に力を伝達させやすいため、有利である。また、底壁１１は長方形以外に、正方形にすることもできる。
【００６８】
＜１１−６＞
容器本体１に設けられるリブ１５の数は、特には限定されず、積層される容器本体１の間に隙間を形成できるのであれば、１つでもよいし、５以上でもよい。また、リブ１５の形状も特には限定されない。
【００６９】
＜１１−７＞
上記実施形態では、薬剤２の機能性成分として、消臭成分を用いたが、これに限定されるものではない。例えば、消臭成分以外に、芳香成分、消臭成分、防虫成分、抗菌成分等が挙げられる。このような機能性成分は、油性及び水溶性のいずれであってもよい。
【００７０】
＜１１−８＞
また、本発明に係る容器は、薬剤収容器以外にも、種々の容器として使用することができ、いずれの用途に使用しても、上記のように、使用後に押し潰して廃棄することができる。したがって、用途によっては、カバーシート３及び遮水シート４は不要であり、用途に応じて開口１１０を塞ぐカバーを取り付けたり、あるいはカバーを設けずに使用することもできる。したがって、フランジ部１３も用途によっては、必ずしも設ける必要はない。
【符号の説明】
【００７１】
１        ：容器本体
１１      ：底壁
１２      ：側壁
１２１    ：第１側面
１２２    ：第２側面
１２３    ：第３側面
１２４    ：第４側面
５        ：第１ガイド線
５１      ：第１上側ガイド線
５２      ：第１下側ガイド線
６        ：第２ガイド線
６１      ：第２上側ガイド線
６２      ：第２下側ガイド線
７        ：第１補助ガイド線
７１      ：第１上側補助ガイド線
７２      ：第１下側補助ガイド線
８        ：第２補助ガイド線
８１      ：第２上側補助ガイド線
８２      ：第２下側補助ガイド線
９        ：第３ガイド線
９２      ：第３中間ガイド線
【図１】
0006652847.tif 000002
【図２】
0006652847.tif 000003
【図３】
0006652847.tif 000004
【図４】
0006652847.tif 000005
【図５】
0006652847.tif 000006
【図６】
0006652847.tif 000007
【図７】
0006652847.tif 000008
【図８】
0006652847.tif 000009
【図９】
0006652847.tif 000010
【図１０】
0006652847.tif 000011
【図１１】
0006652847.tif 000012
【図１２】
0006652847.tif 000013
【図１３】
0006652847.tif 000014
【図１４】
0006652847.tif 000015
【図１５】
0006652847.tif 000016
【図１６】
0006652847.tif 000017